(57)【要約】この発明に従い、遠隔通気を行なう呼吸マスクを提供する。このマスクは、気体供給ホースと、人の呼吸器系に気体を排出するよう適合されたマスクのシェルとを含み、マスクのシェルは気体供給ホースに接続するよう適合される。このマスクはさらに、近端と遠端とを有する遠隔通気装置を含み、遠隔通気装置は、呼吸マスクから気体を遠隔に排気して、呼出された二酸化炭素の再吸入を実質的に減少するか、または解消する。
2004504117.tif 000002
【特許請求の範囲】
【請求項１】
遠隔通気を行なう呼吸マスクであって、
気体供給ホースと、
人の呼吸器系に気体を排出するよう適合されたマスクのシェルとを含み、前記マスクのシェルは前記気体供給ホースに接続するよう適合され、前記呼吸マスクはさらに、
前記マスクのシェルの内部領域に動作可能な態様で接続されて、前記人によって呼出された二酸化炭素を前記マスクから排気するための近端と、遠端とを有する遠隔通気装置を含み、前記遠隔通気装置は、前記呼吸マスクから気体を遠隔で排気し、それにより、前記人による、呼出された二酸化炭素の吸入を実質的に減じる、呼吸マスク。
【請求項２】
前記遠隔通気装置の前記近端は、前記マスクのシェルに装着される、請求項１に記載の呼吸マスク。
【請求項３】
前記遠隔通気装置の前記遠端は、前記マスクのシェルから離れている、請求項１に記載の呼吸マスク。
【請求項４】
前記遠隔通気装置は、約３〜４ｃｍＨ２Ｏの持続性気道陽圧で毎分約１５リットルの気体流量を維持する、請求項１に記載の呼吸マスク。
【請求項５】
前記遠隔通気装置は管である、請求項１に記載の呼吸マスク。
【請求項６】
前記遠隔通気装置は前記気体供給ホースの内部にある、請求項１に記載の呼吸マスク。
【請求項７】
前記遠隔通気装置は前記気体供給ホースの内側表面に装着される、請求項６に記載の呼吸マスク。
【請求項８】
前記遠隔通気装置の前記近端は、前記気体供給ホース内に置かれる、請求項６に記載の呼吸マスク。
【請求項９】
前記遠隔通気装置の前記近端は、前記マスクのシェル内に置かれる、請求項６に記載の呼吸マスク。
【請求項１０】
前記遠隔通気装置は前記気体供給ホースの外側にある、請求項１に記載の呼吸マスク。
【請求項１１】
前記遠隔通気装置は前記気体供給ホースに装着される、請求項１０に記載の呼吸マスク。
【請求項１２】
前記遠隔通気装置は前記気体供給ホースから完全に独立して置かれる、請求項１に記載の呼吸マスク。
【請求項１３】
前記遠隔通気装置の前記近端は、前記マスクのシェル上に置かれる、請求項６に記載の呼吸マスク。
【発明の詳細な説明】
【０００１】
【発明の分野】
この発明は、一般に、呼吸マスクの分野に関する。
【０００２】
【背景技術の説明】
呼吸マスクは、人に気体を送出するために用いられる装置である。図１は関連技術の呼吸マスク１００を示す。関連技術の呼吸マスク１００は、マスクのシェル１０３、気体供給ホース１０６、通気口１０８、および任意のガスケット１１１を含む。マスクのシェル１０３は、人の呼吸器系に気体が供給されるよう、人の顔面上に適合される。
【０００３】
呼吸マスク１００を用いて、空気または酸素を含む任意のさまざまな気体、およびさまざまな薬剤または治療薬を送出することができる。好ましくは、マスク１００は供給された気体を漏出させない。マスクのシェル１０３にストラップまたは他の取付手段（図示せず）を取付けることができ、人の頭部上に適合させることができる。したがって、一定圧の気体が送出され、通気口１０８はマスク内で実質的に一定の圧力を維持し続ける。これを持続性気道陽圧（ＣＰＡＰ）マスクと称する。通気口１０８により、呼出された二酸化炭素はマスク１００から排気される。通気口１０８が通常の使用状態下において、すべての呼気を排気するのに十分なサイズを有することが重要である。関連技術では、通気が必要であることは、単に、マスクのシェル１０３上の開孔を意味するにすぎず、それにより、呼気は気体供給ホース１０６によって生じた陽圧により、呼吸マスク１００から一気に排出される。このことは、ラパポート（Ｒａｐａｐｏｒｔ）の米国特許参照番号第３５，３３９号によって教示される。
【０００４】
関連技術の呼吸マスク１００の通気にはいくつかの欠点がある。第１に、マスクのシェル１０３および通気口１０８内の空気の循環により、不快な雑音が生じ得る。第２に、通気口１０８からの空気の噴流が、使用者またはその付近の人に当たるおそれがある。このことを図１で確認することができ、通気口１０８と、結果的に生じる空気の噴流とが使用者の顔面に比較的近接しており、使用者の付近にいる人または使用者と談話中の人の領域内に入る可能性が極めて大きい。その結果、これらの欠点が治療の受容に影響を及ぼすおそれがある。
【０００５】
したがって、当該技術において、呼吸マスクを改良する必要性が依然として残る。
【０００６】
【発明の概要】
この発明に従い、遠隔通気を行なう呼吸マスクが提供される。このマスクは、気体供給ホースと、人の呼吸器系に気体を排出するよう適合されたマスクのシェルとを含み、マスクのシェルは気体供給ホースに接続するよう適合される。このマスクはさらに、近端と遠端とを有する遠隔通気装置を含み、遠隔通気装置は、上述の人によって呼出された二酸化炭素を呼吸マスクから遠隔に排気し、それにより、上述の人による、呼出された上述の二酸化炭素の吸入を実質的に減じる。
【０００７】
この発明の、上述のおよび他の特徴と利点とは、その好ましい実施例の以下の説明を添付の図面とともに読まれると、一層理解されるであろう。
【０００８】
【好ましい実施例の詳細な説明】
図２はこの発明の、遠隔に通気される呼吸マスク２００である第１の実施例を示す。遠隔に通気される呼吸マスク２００は、マスクのシェル２０３、マスクのシェル２０３に装着された気体供給ホース２０６、任意のガスケット２１１、および遠隔通気装置２１５を含む。遠隔通気装置２１５は、好ましくは、マスクのシェル２０３に装着された近端２１７と、マスクのシェル２０３から離れた遠端２１８とを有する管である。遠隔通気装置２１５は軟性または剛性の材料で形成されてよい。遠隔通気装置２１５は呼出された二酸化炭素を排気するよう、マスク２００から気体を流出させる。マスク２００から呼気を排気するのに、４ｃｍＨ２Ｏの空気圧で毎分約１０〜１５リットルの最小気体流量が適切であろうと概算される。ＣＰＡＰ圧力が高くなるほど、より多くの流量を受容することができる。好ましくは、この遠隔通気装置２１５は、結果として生じる気体流が、典型的には約３〜４ｃｍＨ２Ｏの圧力である最低ＣＰＡＰ動作圧で適切であるような内径を有して設計される。一実施例では、遠隔通気装置２１５は、内径が約０．２インチであって長さが約１２インチの管であり、約１２ｃｍＨ２Ｏの圧力で毎分約２７リットルの気体流を発生させる。
【０００９】
使用時には、マスクのシェル２０３は、本質的に一定の圧力で気体供給ホース２０９から気体流Ａ（矢印参照）を受け、遠隔通気装置２１５は呼気の気流Ｂを可能にする。遠隔通気装置２１５は気体供給ホース２０６と平行に延びてよく、加えて、気体供給ホース２０６の外面に装着されてよい。図面に示されるように、遠隔通気装置２１５が気体供給ホース２０６と実質的に平行に延びて、遠隔通気装置２１５の遠端２１８が、呼出された気流Ｂをできる限り不快にならないような方向と場所とに向けるよう、所望のとおり位置付けられることが好ましい。
【００１０】
図３は、遠隔に通気される呼吸マスク３００である第２の実施例を示す。主な構成要素はマスク２００と同一であり、同一の構成要素の参照番号はそのまま使用される。マスク３００は気体供給ホース２０６の内部に置かれた遠隔通気装置３１５を含む。遠隔通気装置３１５の近端３１７は、好ましくは、マスクのシェル２０３付近の気体供給ホース２０６内に置かれるが（実線）、代替的に、マスクのシェル２０３内に置かれてもよい（点線）。遠端３１８は示されるとおり、マスクのシェルから離れた位置で気体供給ホース２０６から現れてよい。代替的に、遠端３１８は、呼気を排気するための開口を含むもの等の付属器具（ｆｉｔｔｉｎｇ）（図示せず）に接続してよい。
【００１１】
図４Ａおよび図４Ｂは、図３の断面線Ｃ−Ｃにおける、気体供給ホース２０６と遠隔通気装置３１５との断面図を示す。図４Ａでは、遠隔通気装置３１５は気体供給ホース２０６の内側表面に隣接して延びる。遠隔通気装置３１５は気体供給ホース２０６の内側表面に装着されてよい。図４Ｂでは、遠隔通気装置３１５は気体供給ホース２０６と実質的に同軸である。
【００１２】
図５は、変動可能な開口によって通気される呼吸マスク５００である第３の実施例を示す。主な構成要素はマスク２００と同一であり、同一の構成要素の参照番号はそのまま使用される。マスク５００は、気体供給ホース２０６と平行にまたはその付近に延びない代わりに気体供給ホース２０６から離して置かれて所望のとおり位置付けることのできる遠隔通気装置５１５を含む。
【００１３】
気体供給ホース２０６は、呼吸マスクの使用者の頭部の上方に延びてもよいし、呼吸マスクの下に垂れ下がってもよいし、または任意の他の考えられる構成をとってもよいことが理解されるべきである。この発明のさまざまな実施例は、気体供給ホース２０６とともに延びるか、またはそれから逸れて延びてよい遠隔通気装置、および、同様に、使用者の頭部の上方に延びてもよいし、呼吸マスクの下に垂れ下がってもよいし、または呼吸マスクから任意の所望の方向に離れてもよい遠隔通気装置を含む。
【００１４】
この発明は、結果的に、マスクの使用者にいくつかの利点を生じる。これらの利点には、雑音の減少、雑音をより低領域の音響スペクトルに変換すること、および残存する雑音を使用者の顔面からさらに離すことによって空気の噴流方向を改善することが含まれ、さらに、いくつかの実施例では、使用者が遠隔通気装置の遠端を任意の所望の位置に配置できることが含まれる。
【００１５】
この発明を上で詳細に説明してきたが、この発明は、上述の特定の実施例に限定されるよう意図されない。ここで、当業者がこの発明の概念から逸脱することなく、この明細書に記載される特定の実施例の多くの使途および変更例を作成し、およびそれらから発展できることは明らかである。
【図面の簡単な説明】
【図１】関連技術の呼吸マスクを示す図である。
【図２】この発明の、遠隔に通気される呼吸マスクの第１の実施例を示す図である。
【図３】この発明の、遠隔に通気される呼吸マスクの第２の実施例を示す図である。
【図４Ａ】第２の実施例の気体供給ホースと遠隔通気装置との断面を示す図である。
【図４Ｂ】第２の実施例の気体供給ホースと遠隔通気装置との断面を示す図である。
【図５】この発明の、遠隔に通気される呼吸マスクの第３の実施例を示す図である。
【国際公開パンフレット】
2004504117.tif 000003
2004504117.tif 000004
2004504117.tif 000005
2004504117.tif 000006
2004504117.tif 000007
2004504117.tif 000008
2004504117.tif 000009
2004504117.tif 000010
2004504117.tif 000011
2004504117.tif 000012
2004504117.tif 000013
2004504117.tif 000014
2004504117.tif 000015
【国際公開パンフレット（コレクトバージョン）】
2004504117.tif 000016
2004504117.tif 000017
【国際調査報告】
2004504117.tif 000018
2004504117.tif 000019
2004504117.tif 000020